(57)【要約】 【課題】  施工工事が簡便であり、パーテーション等の間仕切りを利用したレイアウトの変更も容易である天井照明システムを提供する。【解決手段】  垂直支持部１１の下部に、縦断面形状を下方に開口する略コ字状とされた収納部１３を有する水平支持部１２が連設されてなる長尺な吊持杆１を天井裏に組み付けて配設し、前記吊持杆１間に天井ボード２を支承して天井面を形成するとともに、前記水平支持部１２の収納部１３内に、前記開口の縁部に係合部４１を係合させ、かつ、前記開口から照明基板取付部４２を下方へ突出させる取付部材４を配置し、１乃至複数個のＬＥＤ発光体３１が配置された照明基板３２を前記照明基板取付部４２に取付けて、前記照明基板３２を前記吊持杆１に配設し、前記ＬＥＤ発光体３１を点灯可能に構成する。【選択図】  図１
2011243406.tif 000002
【特許請求の範囲】
【請求項１】
垂直支持部の下部に、縦断面形状を下方に開口する略コ字状とされた収納部を有する水平支持部が連設されてなる長尺な吊持杆を天井裏に組み付けて配設し、前記吊持杆間に天井ボードを支承して天井面を形成するとともに、前記水平支持部の収納部内に、前記開口の縁部に係合部を係合させ、かつ、前記開口から照明基板取付部を下方へ突出させる取付部材を配置し、１乃至複数個のＬＥＤ発光体が配置された照明基板を前記照明基板取付部に取り付けて、前記照明基板を前記吊持杆に配設し、前記ＬＥＤ発光体を点灯可能に構成することを特徴とする天井照明システム。
【請求項２】
前記開口を水平支持部の長手方向にスリット形成し、前記水平支持部材の長手方向における所望の位置に前記取付部材の係合部をスリットに沿って移動可能に構成することを特徴とする請求項１に記載の天井照明システム。
【発明の詳細な説明】
【技術分野】
【０００１】
本発明は、吊持杆とＬＥＤ照明とを用いた天井照明システムに関する。
【背景技術】
【０００２】
近年、吊りボルト、ハンガーを介して、軽量な金属板を折り曲げ形成してなるＴ型断面の逆Ｔ字型吊持杆を格子状に吊るし、ここに天井ボード・照明器具・空調吹出口等を嵌め込んで天井面とする、いわゆる「システム天井」が、オフィスやプラント等の各種建築物に多用されている（システム天井およびその施工について特許文献１参照）。
【０００３】
そして、従来より、システム天井に配設される前記照明器具として、室内空間を広く利用可能である埋め込み式の蛍光灯照明器具が用いられている（蛍光灯照明器具の配設について特許文献２参照）。
【先行技術文献】
【特許文献】
【０００４】
【特許文献１】特開２００５−２８２００５号公報
【特許文献２】特開平０５−０８９７１４号公報
【発明の概要】
【発明が解決しようとする課題】
【０００５】
ところで、システム天井の前記埋め込み式の蛍光灯照明器具としては、格子状に配列された逆Ｔ字型吊持杆に囲まれた空間に嵌め込んで配設されるものの他、比較的大きなものの場合は、複数枚の天井ボードに亘る、該照明装置の形状に応じた特有形状とされた開口を形成し、その開口に臨ませるようにして配設されるものがある。そして、この特有形状の開口を予め天井ボードの生産工場等で形成する場合には、天井ボードの生産工程が繁雑になる。さらに、天井の形成作業時には、特有形状の開口を夫々有する複数の天井板を予め定められた方向性と順序とにしたがって正確に列設することが必要となり、施工工事も繁雑になるといった問題があった。
【０００６】
また、埋め込み式の蛍光灯照明器具は、逆Ｔ字型吊持杆に囲まれた空間に嵌め込むものであるか、天井ボードに形成された開口に嵌め込むものであるかに拘わらず、一般的に大きく、重いため、施工工事は複数人一組の作業となり、作業効率もよくなかった。
【０００７】
また、システム天井において蛍光灯照明器具の配設位置が固定されていると、室内のレイアウト変更が非常に制約を受けることとなり、蛍光灯照明器具の配設位置を変更するとなると、施工工事が大がかりなものとなってしまう。
【０００８】
本発明は、このような問題点に鑑みてなされたもので、施工工事が簡便であり、パーテーション等の間仕切りを利用したレイアウトの変更も容易である天井照明システムを提供することを課題とする。
【課題を解決するための手段】
【０００９】
本発明の請求項１に係る天井照明システムは、垂直支持部の下部に、縦断面形状を下方に開口する略コ字状とされた収納部を有する水平支持部が連設されてなる長尺な吊持杆を天井裏に組み付けて配設し、前記吊持杆間に天井ボードを支承して天井面を形成するとともに、前記水平支持部の収納部内に、前記開口の縁部に係合部を係合させ、かつ、前記開口から照明基板取付部を下方へ突出させる取付部材を配置し、１乃至複数個のＬＥＤ発光体が配置された照明基板を前記照明基板取付部に取付けて、前記照明基板を前記吊持杆に配設し、前記ＬＥＤ発光体を点灯可能に構成することを特徴とする。
【００１０】
ＬＥＤ発光体を用いた照明器具は軽量であり、照明器具の水平支持部に対する取付も簡単なので、施工工事に要する工人数を削減可能であり、効率よく施工工事を進めることが可能となる。
【００１１】
また、本発明の請求項１に係る天井照明システムは、請求項１の天井照明システムにおいて、前記開口を水平支持部の長手方向にスリット形成し、前記水平支持部材の長手方向における所望の位置に前記取付部材をスリットに沿って移動させ、配設可能に構成することを特徴とする。
【００１２】
このように、前記取付部材を水平支持部の収納部内をスリットに沿って移動可能なライナーとして用いることで、照明器具の配設位置の設定を簡便に行うことができる。
【発明の効果】
【００１３】
本発明の天井照明システムによれば、システム天井を構成する吊持杆にＬＥＤ発光体からなる照明器具を簡便に配設することができ、また、前記照明器具に代えて吊持杆にパーテーション等の間仕切りを配設するようなイアウト変更の施工も、少ない工人数で簡単に行なうことができるといった優れた効果を奏する。
【図面の簡単な説明】
【００１４】
【図１】本発明の天井照明システムの要部斜視図
【図２】本発明の天井照明システムにおける要部断面図
【図３】本発明の天井照明システムにおける、照明器具が十字状に配設された天井ボードのコーナーの配設例を示す説明図
【発明を実施するための形態】
【００１５】
本発明の天井照明システムの実施形態を図１乃至図３により説明する。
【００１６】
図１に示す、本実施形態の天井照明システムは、図示しない吊りボルト、ハンガー等を介して、天井裏に吊下される垂直支持部１１と、垂直支持部１１の下部において水平に延出し、天井ボード２を支持する水平支持部１２とを備えた長尺な吊持杆１が公知の方法により、格子状に組み付けて配設されており、前記吊持杆１によって間仕切りされた空間に、その空間の平面形状にフィットする天井ボード２が配設されて天井面が形成されるシステム天井の天井照明システムであって、ＬＥＤ発光体（Light Emitting Diode）３１を備える照明器具３が前記吊持杆１に配設されている。
【００１７】
前記吊持杆１は、金属板を折り曲げ形成することにより、垂直支持部１１の下部に、縦断面形状を下方に開口する略コ字状とされた収納部１３を有する水平支持部１２が連設された、図２に示すような逆Ｔ字型吊持杆１とされており、その収納部１３の上壁を構成する面が垂直支持部１１から両側方へ水平に延出し、天井ボード２を支持するように構成されている。なお、天井ボード２の支持方法は、この図に示すように、前記水平支持部１２に直接天井ボード２の端部を係合載置させ手もよいし、この方法以外であってもよい。
【００１８】
ここで、本実施形態の天井照明システムは、前記逆Ｔ字型吊持杆１の前記水平支持部１２の収納部１３内において前記開口の縁部に係合部４１を係合させ、かつ、前記開口から照明基板取付部４２を下方へ突出させる取付部材４を備えている。詳しくは、本実施形態の取付部材４は、図２に示すように、頭部４３の下面に垂設された軸部４４にねじが形成された前記照明基板取付部４２としてのボルト状部材４５と、前記軸部４４を挿通させる図示しない貫通孔が形成された係合部４１としての板状部材４６と、前記軸部４４に螺合するナット状部材４７から構成されている。なお、ボルト状部材４５の頭部４３を係合部４１として利用可能であれば、板状部材４６は省略することも可能である。
【００１９】
また、本実施形態の天井照明システムは、薄板帯状とされ、１乃至複数個のＬＥＤ発光体３１が配置され、各ＬＥＤ発光体３１に対し通電可能に電線３３が配線された照明基板３２と、この照明基板３２の縁部に嵌着され、ＬＥＤ発光体３１を保護する乳白色の樹脂製のカバー３４とからなる照明器具３を備えている。詳しくは、本実施形態の照明基板３２は、複数個のＬＥＤ発光体３１が等間隔で長手方向に配列されているとともに、後述する、照明基板取付部４２としてのボルト状部材４５の前記軸部４４を挿通させる貫通孔３５が長手方向における中間部に複数穿設されている。なお、前記ＬＥＤ発光体３１の配設数や配設位置、前記貫通孔３５の配設数や配設位置は本実施形態の例に限定されるものではない。また、前記天井裏には、天井面に配設されるこの照明器具３に給電する電源等の電気経路が敷設されているものとする。
【００２０】
さらに、本実施形態の天井照明システムにおいて、前記開口は水平支持部１２の長手方向にスリット形成されており、逆Ｔ字型吊持杆１を直交させて接続させた接続部位においては、前記スリットが連通するように構成されている（図１、図３参照）。そして、前記水平支持部１２には、後述するように、前記取付部材４の板状部材４６およびボルト状部材４５の頭部４３を前記収納部１３内に配置させるための取入口１４が形成されている。なお、吊持杆１を金属板を折り曲げて形成することにより、前記収納部１３の開口を簡単にスリット形成することができ、取入口１４を所望の場所に形成することが可能となる。
【００２１】
そして、本実施形態の天井照明システムにおいては、まず、板状部材４６の貫通孔に軸部４４を挿通させた状態で、前記板状部材４６と、ボルト状部材４５の頭部４３を取入口１４から前記収納部１３内に収納し、前記軸部４４を開口から下方へ突出させ、照明器具３を配設する逆Ｔ字型吊持杆１の水平支持部１２における前記照明器具３の照明基板３２の貫通孔３５と対向するそれぞれの位置へ、前記スリットに沿って移動させる。つまり、このとき、前記板状部材４６と、ボルト状部材４５の頭部４３をライナーとして用い、前記収納部１３内をスライド移動させる。  
【００２２】
そして、各位置において、貫通孔３５に前記照明基板取付部４２としてのボルト状部材４５の前記軸部４４を挿通させた状態で、ナット状部材４７を軸部４４に螺合させ、前記係合部４１としての板状部材４６とナット状部材４７との間に収納部１３の下面の前記開口の縁部と照明基板３２とを挟み込んだ状態で固定する。これにより、前記照明基板取付部４２に照明基板３２を取付ける。
【００２３】
なお、この照明器具３の取付の際に、前記照明基板３２と電源とを結ぶ配線は、逆Ｔ字型吊持杆１に形成された配線引き出し孔から天井裏へ引き出して電源と電気的な接続を確保するようにする。
【００２４】
そして、照明基板３２の縁部にＬＥＤ発光体３１を保護する乳白色の樹脂製のカバー３４を嵌着させる。
【００２５】
図３は、照明器具３が十字状に配設される、天井ボード２のコーナーの配設例を示す。この樹脂製のカバー３４のように端部角部をそれぞれ９０°づつ面取りして三角形状に形成し、互いの先端部を付き合わせ、面取り形成された辺同士を並列させるように配設することで、互いのカバー３４が干渉することなく、見た目にも美しく照明器具３を配設することができる。
【００２６】
なお、前記照明器具３の長さ寸法は任意である。また、逆Ｔ字型吊持杆１の組み込みは、本実施形態のように格子状に限らず、たとえば平行であってもよい。
【００２７】
さらに、前記取付部材４は、前述のようなボルト状部材４５やナットを用いるものに限らない。例えば、前記係合部４１は、一対の係合爪が前記収納部１３内において前記開口の縁部に対し係合・係合解除可能に形成されていてもよいし、照明基板取付部４２も、ねじが形成された軸部４４に限ることなく、照明基板３２に形成された係合孔に嵌着して前記照明基板３２を吊下する爪状部材が先端に形成された軸状部材としてもよい。
【００２８】
また、前記開口をスリット形成せずに、吊持杆１の長手方向に点在させる構成としてもよい。その場合、開口は、吊持杆１の長手方向の寸法を幅方向寸法の寸法より長く形成した長穴に形成するとともに、前記幅方向において、収納部１３の下面に係合部４１が係止する開口の縁部を形成し、例えば、長手方向に沿って前記開口から収納部１３内に挿入させた係合部４１を、水平方向に９０°回転させることにより、係合部４１の先端を開口の縁部に係合させる構成としてもよい。その係合部４１には前記照明基板取付部４２が連接されていることは勿論である。
【００２９】
前記照明基板３２のＬＥＤ発光体３１の配設面は、ＬＥＤ発光体３１の出射光を反射させるリフレクタ面として形成してもよい。その際、照明基板３２のＬＥＤ発光体３１の配設面は平面である必要はなく、配設するＬＥＤ発光体３１毎に合わせた半球面の連続面、曲面、凹凸面等に変更することができる。
【００３０】
さらには、前記吊持杆１は、逆Ｔ字型吊持杆１に限らず、例えば、前記垂直支持部１１の下部における一側方にのみその収納部１３の上壁を構成する面が水平に延出し、天井ボード２を支持するように構成されているＬ字型吊持杆１であっても、収納部１３を有する吊持杆１であれば、本発明の天井照明システムを採用することができる。
【００３１】
そして、このように構成される本実施形態の天井照明システムにおいては、照明機具を配設する吊持杆１の形状を、照明器具３の形や配置によってその形状を異ならせる必要がないので、吊持杆１や天井ボード２の生産工程が繁雑になることがない。
【００３２】
さらに、天井の形成作業における照明器具３の施工工事が一人の作業も可能となり、作業効率も大きく向上された。
【００３３】
また、照明器具３の配設位置の変更が容易であるので、室内のレイアウト変更に制約を受けることがなくなり、施工工事も簡便になる等の優れた効果を奏する。
【符号の説明】
【００３４】
１  吊持杆
１１  垂直支持部
１２  水平支持部
１３  収納部
１４  取入口
２  天井ボード
３  照明器具
３１  ＬＥＤ
３２  照明基板
３３  電線
３４  カバー
３５  貫通孔
４  取付部材
４１  係合部
４２  照明基板取付け部
４３  頭部
４４  軸部
４５  ボルト状部材
４６  板状部材
４７  ナット状部材
【図１】
2011243406.tif 000003
【図２】
2011243406.tif 000004
【図３】
2011243406.tif 000005